(57)【要約】【課題】  内側に土を詰めて花壇として使用するだけでなく、隣接するブロックとの間に隙間なく嵌合して、花壇の境界壁を強固に形成できると共に、自由な形状に組合せが可能な花壇用コンクリートブロックを提供するものである。【解決手段】  上下を開口した筒状のブロック本体２の側面３に、断面台形状の突出部４を上下方向に設けると共に、前記突出部４をブロック本体２の各側面３の横幅方向に沿って、前記台形の上辺の長さとほぼ等しい間隔で複数個設け、隣接する花壇用コンクリートブロック１Ａの側面に形成した突出部４と嵌合するようにしたものである。【選択図】  図１
0003113971.tif 000002
【実用新案登録請求の範囲】
【請求項１】
上下を開口した筒状のブロック本体の側面に、断面台形状の突出部を上下方向に設けると共に、前記突出部をブロック本体の各側面の横幅方向に沿って、前記台形の上辺の長さとほぼ等しい間隔で複数個設け、隣接するブロックの側面に形成した突出部と嵌合するようにしたことを特徴とする花壇用コンクリートブロック。
【請求項２】
請求項１において、更にブロック本体の内側の下部側に水抜板を係止する水抜板支持部を形成したことを特徴とする花壇用コンクリートブロック。
【請求項３】
筒状のブロック本体が、三角筒状または四角筒状もしくは六角筒状に形成されていることを特徴とする請求項１または２記載の花壇用コンクリートブロック。
【考案の詳細な説明】
【技術分野】
【０００１】
本考案は、複数個のコンクリートブロックを、隙間なく並べて連続した花壇境界壁を形成することができる花壇用コンクリートブロックに関するものである。
【背景技術】
【０００２】
近年、ガーデニングが普及し、花壇を作ることが盛んに行なわれている。この花壇は、土を耕して作るものと、移動自在のプランターやコンクリートブロックなどに作るものとがある。また、プラスチック製のプランターもあるが、これは単独で設置した場合には、強風により転倒することがあった。また中空直方体状のコンクリートブロックの底面に肉厚の薄い部分を形成して、花壇として使用する時に、この薄肉部を打ち抜いて水抜き孔を形成するようにした花壇ブロックも開発されている（特許文献１）。
【０００３】
しかしながら従来の花壇ブロックは、中空直方体状や中空円筒体状に形成され、これを並べると、隣接するブロックとの間に隙間が生じ、花壇の境界壁として用いることができなかった。
【特許文献１】特開平１０ー１４３９８号公報
【考案の開示】
【考案が解決しようとする課題】
【０００４】
本考案は上記問題を改善し、内側に土を詰めて植木鉢として使用するだけでなく、隣接するブロックとの間に隙間なく嵌合して、花壇の境界壁を強固に形成できると共に、自由な形状に組合せが可能な花壇用コンクリートブロックを提供するものである。
【課題を解決するための手段】
【０００５】
本考案の請求項１記載の花壇用コンクリートブロックは、上下を開口した筒状のブロック本体の側面に、断面台形状の突出部を上下方向に設けると共に、前記突出部をブロック本体の各側面の横幅方向に沿って、前記台形の上辺の長さとほぼ等しい間隔で複数個設け、隣接するブロックの側面に形成した突出部と嵌合するようにしたことを特徴とするものである。
【０００６】
本考案の請求項２記載の花壇用コンクリートブロックは、更にブロック本体の内側の下部側に水抜板を係止する水抜板支持部を形成したことを特徴とするものである。更に請求項３記載の花壇用コンクリートブロックは、筒状のブロック本体が、三角筒状または四角筒状もしくは六角筒状に形成されていることを特徴とするものである。
【考案の効果】
【０００７】
本考案に係る請求項１記載の花壇用コンクリートブロックによれば、植木鉢として使用するだけでなく、側面に形成した断面台形状の突出部と、隣接するブロックに形成した断面台形状の凹部とが互いに嵌合する形状となっているので、隙間なく密着して強固に連結され、花壇の境界壁を形成することができると共に、自由な形状に組合せが可能である。
【０００８】
また請求項２記載の花壇用コンクリートブロックによれば、ブロック本体の内側の下部側に水抜板を係止する水抜板支持部を形成したので、水抜板の上に土を詰めて植木鉢として使用することができる。
【０００９】
また請求項３記載の花壇用コンクリートブロックによれば、ブロック本体が、三角筒状または四角筒状もしくは六角筒状に形成されているので、これらブロックの対向する側面の突出部と凹部を組み合わせることにより任意の形状の花壇境界壁を形成することができる。
【考案を実施するための最良の形態】
【００１０】
以下本考案の実施の一形態を図１ないし図５を参照して詳細に説明する。図において１Ａは花壇用コンクリートブロックを示すもので、上下に開口した平面長方形の角筒状のブロック本体２の側面３に、断面台形状の突出部４を上下方向に設けると共に、前記突出部４をブロック本体２の各側面３の横幅方向に沿って、前記台形の上辺の長さａと等しい間隔ａで複数個設けたものである。つまり突出部４は図４に示すように、断面台形状をなし、その台形の上辺の長さをａ、底辺の長さをｂ、高さをｃとすると、この突出部４の取付け間隔はａとなるように形成し、この隣接する突出部４、４の間に断面台形状の凹部８が形成される。
【００１１】
またブロック本体２の内側は図２および図３に示すように底部開口部５が上部開口部６よりやや小さな長方形状に形成され、下部側にテーパー面７が形成され、この部分が、水抜板を係止する水抜板支持部９が形成されている。
【００１２】
上記構成の花壇用コンクリートブロック１Ａは、図５に示すように縦横に並べていくと、花壇用コンクリートブロック１Ａの側面３に形成した断面台形状の突出部４と、隣接する花壇用コンクリートブロック１Ａに形成した断面台形状の凹部８とが互いに嵌合する形状となっているので、隙間なく密着して強固に連結され、花壇の境界壁を形成することができる。
【００１３】
また花壇用コンクリートブロック１Ａの内側の水抜板支持部９に水抜孔を開孔した水抜板を載せて、この上に土を詰めて植木鉢とし、ここに花を植える。なおこの場合、地面の上に設置する時には水抜板を取付けずに内側の底部まで土を詰めても良い。
【００１４】
図６は本考案の他の実施の形態を示すもので、この花壇用コンクリートブロック１Ｂは、上下を開口した平面正方形の四角筒状のブロック本体２の側面３に、断面台形状の突出部４を上下方向に設けると共に、前記突出部４をブロック本体２の各側面３の横幅方向に沿って、前記台形の上辺の長さａと等しい間隔ａで複数個設けたものである。
【００１５】
図７は本考案の異なる他の実施の形態を示すもので、この花壇用コンクリートブロック１Ｃは、上下を開口した平面六角形の六角筒状のブロック本体２の側面３に、断面台形状の突出部４を上下方向に設けると共に、前記突出部４をブロック本体２の各側面３の横幅方向に沿って、前記台形の上辺の長さａと等しい間隔ａで複数個設けたものである。
【００１６】
上記構成の花壇用コンクリートブロック１Ａは、六角筒状のブロック本体２の１つの側面３に形成した断面台形状の突出部４と、これに隣接する花壇用コンクリートブロック１Ｃの対向する側面３に形成した凹部８とを嵌合させることにより、断面台形状の両突出部４、４が隙間なく密着して強固に連結することができる。
【００１７】
また花壇用コンクリートブロックは、平面長方形や平面正方形の角筒状、平面六角形の六角筒状に限らず、平面三角形の三角筒状や平面八角形の八角筒状でも良く、またこれらを組み合わせて配置し、任意の形状の境界壁を形成しても良い。また花壇の境界壁に限らず、玄関前などに並べて設置しても良い。
【図面の簡単な説明】
【００１８】
【図１】本考案の実施の一形態による平面長方形の花壇用コンクリートブロックを示す斜視図である。
【図２】図１の花壇用コンクリートブロックを示す平面図である。
【図３】図２の花壇用コンクリートブロックを示す断面図である。
【図４】図２の花壇用コンクリートブロックの断面台形状の突出部を拡大して示す平面図である。
【図５】図１の花壇用コンクリートブロックを複数個組み合わせて形成した花壇の境界壁を示す平面図である。
【図６】本考案の他の実施の形態による平面正方形の花壇用コンクリートブロックを示す平面図である。
【図７】本考案の異なる他の実施の形態による平面六角形の花壇用コンクリートブロックを組み合わせた状態を示す平面図である。
【符号の説明】
【００１９】
１Ａ、１Ｂ、１Ｃ  花壇用コンクリートブロック                
２    ブロック本体                                          
３    側面                                                  
４    断面台形状の突出部                                    
５    底部開口部                                            
６    上部開口部                                            
７    テーパー面                                            
８    断面台形状の凹部                                      
９    水抜板支持部                                          
【図１】
0003113971.tif 000003
【図２】
0003113971.tif 000004
【図３】
0003113971.tif 000005
【図４】
0003113971.tif 000006
【図５】
0003113971.tif 000007
【図６】
0003113971.tif 000008
【図７】
0003113971.tif 000009